(57)【要約】【課題】  レンズアクチュエータの良好な動作特性が得られるとともに、複数の対物レンズを選択的に１つの光路上に切り替えて使用可能にすることで、レンズホルダの下に複数の光路でレーザ光を立ち上げるための構成を必要としない光ピックアップ装置を提供する。【解決手段】  ２つの対物レンズ２４，２５をそれぞれ保持する１個のレンズホルダ３１と、レンズホルダ３１から一方の側へハの字状に広がるように張られレンズホルダ３１を可動状態に支持する複数のワイヤ３３…と、レンズホルダ３１を電磁力によって回転駆動する回転駆動手段４１，４２，５１〜５４を備え、回転駆動手段の駆動力によってレンズホルダ３１が回転することで２つの対物レンズ２４，２５が順に１つの光路上に配置可変にされた構成である。【選択図】        図２
2008102999.tif 000002
【特許請求の範囲】
【請求項１】
２個の対物レンズを切り替えて使用することで複数種類の光ディスクに対応してデータの記録又は再生を可能とした光ピックアップ装置において、
前記２個の対物レンズを保持する１個のレンズホルダと、
出射したレーザ光を前記レンズホルダの光路上まで導くとともに光ディスクからの反射光を該光路を介して光センサまで導く光学系と、
一端側が前記レンズホルダに固着され他端側がフレームに固着されて該レンズホルダを可動状態に支持する６本のワイヤと、
電磁力の作用により前記レンズホルダに駆動力を与える駆動手段と、
を備え、
前記６本のワイヤのうち４本のワイヤが前記レンズホルダの上面側で、残り２本が前記レンズホルダの下面側で、前記対物レンズの光軸方向に見て前記レンズホルダから一方の側へハの字状に広がる方向に張られ、
前記レンズホルダは、前記対物レンズの光軸方向に見て、前記６本のワイヤが張られる側とその逆の側とを結ぶ直線方向に長く、これに直交する方向に短い形状に形成されるとともに、前記２個の対物レンズを該レンズホルダの中央部位より長手方向の前記ワイヤが張られていない側に寄った位置で該レンズホルダの長手方向と直交する方向に並んだ状態に保持し、
前記駆動手段は、
前記レンズホルダの長手方向の両端側面に設けられた電磁コイルおよびこれと対向配置される磁石からなり、前記複数の対物レンズの光軸と平行で前記レンズホルダの中央部分を通過する軸を中心とした回転方向に駆動力を付与する回転駆動手段と、
前記レンズホルダを対物レンズのフォーカス方向に駆動するフォーカス駆動手段と、
前記レンズホルダの長手方向に沿った両側面に設けられた電磁コイルおよびこれと対向配置される磁石からなり、光ディスクの円周方向に沿った傾斜角を変更する方向に駆動力を付与するチルト角駆動手段とを含み、
前記回転駆動手段の駆動力によって前記レンズホルダが回転することで前記２個の対物レンズが順に１つの光路上に配置変更可能にされていることを特徴とする光ピックアップ装置。
【請求項２】
複数の対物レンズを切り替えて使用することで複数種類の光ディスクに対応してデータの記録又は再生を可能とした光ピックアップ装置において、
前記複数の対物レンズを保持する１個のレンズホルダと、
出射したレーザ光を前記レンズホルダの光路上まで導くとともに光ディスクからの反射光を該光路を介して光センサまで導く光学系と、
一端側が前記レンズホルダに固着され他端側がフレームに固着されて前記レンズホルダを可動状態に支持する複数のワイヤと、
電磁力の作用により前記レンズホルダに駆動力を与える駆動手段と、
を備え、
前記複数のワイヤは、前記対物レンズの光軸方向に見て、前記レンズホルダから一方の側へハの字状に広がる方向に張られ、
前記駆動手段は、前記複数の対物レンズの光軸と平行で前記レンズホルダと交差する回転軸線を中心とした回転方向に駆動力を付与可能な回転駆動手段を備え、
前記複数の対物レンズは前記レンズホルダの前記回転軸線部分より外側の部位で前記回転方向に並んだ状態で保持され、
前記回転駆動手段の駆動力によって前記レンズホルダが回転することで前記複数の対物レンズが順に１つの光路上に配置可変にされていることを特徴とする光ピックアップ装置。
【請求項３】
前記レンズホルダは、前記複数のワイヤが張られる側と逆側の部位に２個の対物レンズを保持する構成であることを特徴とする請求項２記載の光ピックアップ装置。
【請求項４】
前記レンズホルダは、
６本のワイヤにより支持されるとともに、
これらのうち４本のワイヤは前記レンズホルダの上面側で２本ずつハの字状に広がって固着され、
残りの２本のワイヤは前記レンズホルダの下面側でハの字状に広がって固着されている、
ことを特徴とする請求項２又は３に記載の光ピックアップ装置。
【請求項５】
前記複数の対物レンズのうち光路上に配置された対物レンズの前記回転駆動手段による移動方向は光ディスクのトラッキング方向とほぼ重なる方向に設定され、
前記駆動手段には、
前記回転駆動手段に加えて、
前記レンズホルダを対物レンズのフォーカス方向に駆動するフォーカス駆動手段と、
光ディスクの円周方向に沿った傾斜角を変更する方向に駆動力を付与可能なチルト角駆動手段とが含まれていることを特徴とする請求項２〜４の何れかに記載の光ピックアップ装置。
【請求項６】
前記回転駆動手段は、
前記レンズホルダの前記ワイヤが張られる側の側面とその反対側の側面とに取り付けられた少なくとも２個の回転駆動用電磁コイルと、
前記複数の対物レンズがそれぞれ光路上に配置されたときに前記回転駆動用電磁コイルにそれぞれ対向配置される複数組の磁石と、
から構成されていることを特徴とする請求項５記載の光ピックアップ装置。
【請求項７】
前記レンズホルダは、前記対物レンズの光軸方向に見て、前記ワイヤが張られる側とその反対側とを結ぶ直線方向に長く、これと直交する方向に短い形状に構成され、
前記チルト角駆動手段は、
前記レンズホルダの長手方向に沿って両側面に取り付けられた少なくとも２個のチルト駆動用電磁コイルと、
前記レンズホルダの回転運動範囲と重ならない範囲で前記チルト駆動用電磁コイルに対向配置された２個の磁石と、
から構成されることを特徴とする請求項５又は６に記載の光ピックアップ装置。
【発明の詳細な説明】
【技術分野】
【０００１】
この発明は、複数の対物レンズを切り替えて使用することで複数種類の光ディスクに対応する光ピックアップ装置に関する。
【背景技術】
【０００２】
以前より、レンズホルダに２個の対物レンズを保持させ、２個の対物レンズを切り替えて使用することで複数種類の光ディスクに対応可能とした光ピックアップ装置がある。
【０００３】
このような光ピックアップ装置では、レーザ光を立ち上げるミラーをレンズホルダの下に２個設け、これら２個のミラーにより光路を２経路生成して、一方の光路上に第１の対物レンズを配置し、他方の光路上に第２の対物レンズを配置するように構成されることが多い（例えば特許文献１〜３）。そして、これら２つの光路のうち使用する光路を選択的に切り替えることで、使用する対物レンズが同時に切り替えられる。
【０００４】
また、本出願人は、レンズホルダに回転軸を設ける一方、フレーム側にこの回転軸を受ける軸受けを設け、レンズホルダを軸摺動により回転と上下動可能な状態に支持させるとともに、レンズホルダの回転駆動により２個の対物レンズを１つの光路上に選択的に移動させることで、１つの光路で２つの対物レンズを切り替えて使用する光ピックアップのレンズアクチュエータを以前に開発している。
【特許文献１】特開２００５−１９６８５９号公報
【特許文献２】特開２００６−１３４４７４号公報
【特許文献３】特開平０９−２１２９１０号公報
【発明の開示】
【発明が解決しようとする課題】
【０００５】
特許文献１〜３の技術のように、レンズホルダの下にハーフミラーやビームスプリッタを設け、２個の対物レンズに対応させて２つの光路を形成する構成では、立上げミラーを１つのみ配置すれば良い１レンズタイプのピックアップに比べて、部品コストの高騰、光学系の配置スペースの増大によりピックアップの大型化、ビーム分割を行う箇所が増えることによる光学系での光損失の増大という課題が生じる。
【０００６】
特に、現在では、青紫色レーザを用いた光ディスクに２つの規格があり、これら２種類の光ディスクは、使用するレーザ波長は同一である一方、必要となる対物レンズの開口数（ＮＡ）が異なるという特徴を持っている。したがって、２つの光路を形成してこれら２種類の光ディスクに対応させようとすると、同一波長のレーザ光で２つの光路を生成しなければならず、その場合、ビーム分割による光損失は相当大きくなると考えられる。
【０００７】
また、上記した軸摺動で回転駆動させるタイプの光ピックアップでは、図８に示すように、レンズホルダをワイヤなどのバネで支持する形式のレンズアクチュエータに比べて、変位レベルの小さい範囲で動作特性が劣化し、そのため、対物レンズを微少量変位させる際の駆動制御が難しく、消費電流も大きくなるという欠点があった。
【０００８】
また、軸摺動タイプでは、摺動軸に沿ったフォーカス方向と、摺動軸を中心とした回転方向（トラッキング方向）との２軸の駆動しか出来ず、対物レンズのチルト角の調整を行うことが出来ないという構造的な欠点があった。
【０００９】
この発明の目的は、レンズホルダをバネで支持することで小さな変位レベルから大きな変位レベルまで良好な動作特性が得られるとともに、複数の対物レンズを選択的に１つの光路上に切り替えて使用可能にすることで、レンズホルダの下に複数の光路でレーザ光を立ち上げるための構成を必要としない光ピックアップ装置を提供することにある。
【課題を解決するための手段】
【００１０】
本発明は、上記目的を達成するため、複数の対物レンズを切り替えて使用することで複数種類の光ディスクに対応してデータの記録又は再生を可能とした光ピックアップ装置において、前記複数の対物レンズを保持する１個のレンズホルダと、出射したレーザ光を前記レンズホルダの光路上まで導くとともに光ディスクからの反射光を該光路を介して光センサまで導く光学系と、一端側が前記レンズホルダに固着され他端側がフレームに固着されて前記レンズホルダを可動状態に支持する複数のワイヤと、電磁力の作用により前記レンズホルダに駆動力を与える駆動手段とを備え、前記複数のワイヤは、前記対物レンズの光軸方向に見て、前記レンズホルダから一方の側へハの字状に広がる方向に張られ、前記駆動手段は、前記複数の対物レンズの光軸と平行で前記レンズホルダと交差する回転軸線を中心とした回転方向に駆動力を付与可能な回転駆動手段を備え、前記複数の対物レンズは前記レンズホルダの前記回転軸線部分より外側の部位で前記回転方向に並んだ状態で保持され、前記回転駆動手段の駆動力によって前記レンズホルダが回転することで前記複数の対物レンズが順に１つの光路上に配置可変にされている構成とした。
【００１１】
このような手段によれば、レンズホルダを回転駆動して複数の対物レンズのうち何れかを選択的に光路上に配置することで、１つの光路のみを用いて複数の対物レンズを切り替えて使用することが出来る。従って、レンズホルダの下に複数の光路でレーザ光を立ち上げるハーフミラーやプリズムなどのビームスプリッタを設ける必要がなく、部品コストの削減、光ピックアップの構成のコンパクト化、光学系におけるレーザ光の損失の低減を図ることが出来る。さらに、レンズホルダはワイヤにより支持された構造なので、変位レベルの小さな範囲から大きな範囲まで良好な動作特性が得られ、さらに、チルト角調整も実現可能である。
具体的には、前記レンズホルダは、前記複数のワイヤが張られる側と逆側の部位に２個の対物レンズを保持する構成にすると良い。
【００１２】
レンズホルダへの対物レンズの配置は、レンズホルダの回転中心を外れた範囲であれば、ワイヤの張られた側やその逆側、或いは、これらと直交する側の部位に配置しても、レンズホルダの回転駆動により２個の対物レンズを選択的に１つの光路上に配置させることが出来る。しかしながら、ワイヤが邪魔にならないようにレーザ光を通過させたり、ワイヤをスムーズに撓らせてレンズホルダを回転させるようにしたり、チルト角の調整を可能とするには上記のようにワイヤが張られた側の反対側に対物レンズを配置することで、対物レンズを切り替えたりサーボ制御する際にスムーズな動作を得ることが出来る。
【００１３】
また具体的には、前記レンズホルダは、６本のワイヤにより支持されるとともに、  ６本のワイヤにより支持されるとともに、これらのうち４本のワイヤは前記レンズホルダの上面側で２本ずつハの字状に広がって固着され、残りの２本のワイヤは前記レンズホルダの下面側でハの字状に広がって固着されるように構成すると良い。
【００１４】
このように６本のワイヤを用いることで、２本を一組として３種類の電流信号をレンズホルダに送ることができ、レンズホルダに３系統の電磁コイルを取り付けて、対物レンズのフォーカス駆動、トラッキング駆動、チルト角駆動の３軸の運動を行わせることが出来る。
【００１５】
具体的には、前記複数の対物レンズのうち光路上に配置された対物レンズの前記回転駆動手段による移動方向は光ディスクのトラッキング方向とほぼ重なる方向に設定され、前記駆動手段には、前記回転駆動手段に加えて、前記レンズホルダを対物レンズのフォーカス方向に駆動するフォーカス駆動手段と、光ディスクの円周方向に沿った傾斜角を変更する方向に駆動力を付与可能なチルト角駆動手段とが含まれるように構成すると良い。
この構成により、対物レンズの切り替えと３軸の運動とが可能である。
【００１６】
さらに具体的には、前記回転駆動手段は、前記レンズホルダの前記ワイヤが張られる側の側面とその反対側の側面とに取り付けられた少なくとも２個の回転駆動用電磁コイルと、前記複数の対物レンズがそれぞれ光路上に配置されたときに前記回転駆動用電磁コイルにそれぞれ対向配置される複数組の磁石とから構成すると良い。
【００１７】
また具体的には、前記レンズホルダは、前記対物レンズの光軸方向に見て、前記ワイヤが張られる側とその反対側とを結ぶ直線方向に長く、これと直交する方向に短い形状に構成され、前記チルト角駆動手段は、前記レンズホルダの長手方向に沿って両側面に取り付けられた少なくとも２個のチルト駆動用電磁コイルと、前記レンズホルダの回転運動範囲と重ならない範囲で前記チルト駆動用電磁コイルに対向配置された２個の磁石とから構成すると良い。
【００１８】
このような構成により、ワイヤ支持によるレンズホルダの回転駆動と、レンズホルダのチルト角駆動とを、混合させてそれぞれ独立的に行わせることが出来る。
【発明の効果】
【００１９】
以上説明したように、本発明に従うと、変位レベルの小さい範囲から大きい範囲まで良好な動作特性が得られ、且つ、複数の対物レンズを選択的に１つの光路上に配置させて使用することが出来る。従って、レンズホルダの下に複数の光路でレーザ光を立ち上げる光学部品を必要とせず、部品コストの低減、ピックアップの構成のコンパクト化、光学系における光損失の低減を図ることが出来るという効果が得られる。
【００２０】
また、軸摺動タイプではチルト角の調整が出来ないが、本発明ではワイヤ支持型なのでチルト角の調整も可能であるという効果がある。
【発明を実施するための最良の形態】
【００２１】
以下、本発明の実施の形態を図面に基づいて説明する。
図１は、本発明の実施の形態の光ピックアップ装置１０の全体構成を示すもので、（ａ）はその平面図、（ｂ）は側面図である。
この実施の形態の光ピックアップ装置１０は、例えば、ＣＤ（コンパクトディスク）、ＤＶＤ（デジタル多用途ディスク）、ＨＤ−ＤＶＤ（高密度ＤＶＤ）、ＢＤ（ブルーレイディスク）の各種光ディスクに対応してデータの記録又は再生を行うものである。
【００２２】
この光ピックアップ装置１０には、ＣＤ用（例えば波長７８０ｎｍ）のレーザ光とＤＶＤ用（例えば波長６５０ｎｍ）のレーザ光とを出力する２波長半導体レーザ１１と、ＨＤ−ＤＶＤやＢＤ用（例えば波長４０５ｎｍ）のレーザ光を出力する半導体レーザ１２と、３ビームを形成する回折格子１３，１４と、レーザ光の波長により反射又は透過させて２つの半導体レーザから出射されるレーザ光の光路を合同させるダイクロイックプリズム１５と、光ディスクへの進行波と反射波とを分離するための１／４波長板１８および偏光ビームスプリッタ１６と、半導体レーザからの出射光を平行光にするコリメータレンズ１７と、反射ビームに非点収差を付加する検出レンズ１９と、複数に分割された検出面を有し光ディスクからの反射ビームを受光する光センサ２０と、レーザ光を反射して対物レンズの方へ導く立上げミラー２１と、光ディスクの記録面にレーザ光を集束させるとともに反射光を集光する２個の対物レンズ２４，２５と、この対物レンズ２４，２５を駆動するレンズアクチュエータ３０等が設けられている。そして、これらの光学部品１１〜２１やレンズアクチュエータ３０が、例えば１ブロックに形成されたオプトベースに配設されて光ピックアップ装置１０が構成されている。
【００２３】
２個の対物レンズ２４，２５は、一方が開口数ＮＡの大きなＢＤ用の対物レンズ２５であり、他方が開口数がそれより小さいＣＤ、ＤＶＤ、ＨＤ−ＤＶＤ用の対物レンズ２４である。
【００２４】
図２は、図１のレンズアクチュエータ３０を示す斜視図である。図３は、レンズアクチュエータ３０の詳細を示すもので、（ａ）はその平面図、（ｂ）は側断面図である。
レンズアクチュエータ３０は、２個の対物レンズ２４，２５を保持するレンズホルダ３１と、レンズホルダ３１の側面に取り付けられた回転駆動用の第１コイル４１，４２およびチルト角駆動用の第２コイル４３，４４と、レンズホルダ３１の底面に突出して設けられたフォーカス駆動用の第３コイル４５と、レンズホルダ３１を支持するとともに第１〜第３コイル４１〜４５に電流を供給する６本のワイヤ３３…と、ワイヤ３３…の一端側が固着されるフレーム板３５と、レンズホルダ３１の側面に対向配置される回転駆動用の磁石５１〜５４およびチルト角駆動用の磁石５５，５６と、第３コイルの外側を囲うように配置された環状のフォーカス駆動用の磁石５７および第３コイルの内側に配置されたヨーク５８等から構成される。
【００２５】
レンズホルダ３１は、図３（ａ）のように平面で見た場合に、一方向に長く、それに直交する方向に短い形状に構成され、２個の対物レンズ２４，２５は、レンズホルダ３１上面の長手方向の端に寄った部位に、長手方向と直交する方向に並んで固着されている。なお、第１対物レンズ２４と第２対物レンズ２５とでは作動距離が異なるためその違いに応じて各対物レンズ２４，２５の高さ方向に段差を設けて固着すると良い。
【００２６】
第１コイル４１，４２および第２コイル４３，４４は、コイル線を矩形状の経路で巻回した薄型の偏平コイルであり、第１コイル４１，４２はレンズホルダ３１の長手方向の両端側面にそれぞれ固着され、第２コイル４３，４４はレンズホルダ３１の長手方向に沿って伸びる両側面の中央部分にそれぞれ固着されている。
【００２７】
６本のワイヤ３３…は、４本がレンズホルダ３１の上面側に、２本がレンズホルダ３１の底面側にワイヤ固着板３７を介して半田付け等により結合されている。上面側の４本のワイヤ３３…は、レンズホルダ３１の上面中央部分からレンズホルダ３１の長手方向に２本一組でハの字状に広がるようにそれぞれ張られ、底面側の２本のワイヤ３３…は、第３コイルを避けた底面中央部分から同じ長手方向にハの字状に広がるように張られている。このようにハの字状にワイヤ３３…を張ることで、レンズホルダ３１に横方向の駆動力が付加された場合に、全ワイヤ３３…に力が分散されて全ワイヤ３３…がほぼ均等に曲がるようにして、これら６本のワイヤ３３…の接合部位を中心としてレンズホルダ３１が回転駆動することとなる。また、この回転駆動時には、ワイヤ３３…が撓る分、フレーム板３５の方向への変位も生じるが、２個の対物レンズ２４，２５を近接配置して回転角度を小さくすることでこのズレ量は無視できるレベルとなる。
【００２８】
図４には、回転駆動用の磁石５１〜５４と電磁コイル４１，４２との配置関係を説明する分解図を示す。図中、Ｘは回転移動方向を、Ｙは高さ方向を示している。
回転駆動用の磁石５１〜５４は、レンズホルダ３１の長手方向の一方の側と他方の側のそれぞれにおいて、レンズホルダ３１の回転移動の外周に沿うように２個ずつ並んで設けられている。一方の側において、磁石５１，５２の磁極は縦に２分割されてＮ極とＳ極とが形成され、矩形状の第１コイル４１がこの分割線を跨ぐように配置されたときに、第１コイルの電流に応じて左右方向の駆動力が付与可能にされている。
【００２９】
また、回転駆動用の磁石５１，５２は、第１の対物レンズ２４が光路上に配置される角度で、一方の磁石５１が第１コイル４１と重なるような配置に固定され、他方の磁石５２は、第２の対物レンズ２５が光路上に配置される角度で第１コイル４１と重なるような配置に固定されている。
レンズホルダ３１の長手方向の他方の側に設けられた磁石５３，５４と電磁コイル４２についても同様の構成である。
【００３０】
図５には、チルト駆動用の磁石５５，５６と電子コイル４３，４４との配置関係を説明する分解図を示す。図中、Ｘはレンズホルダ３１側面に沿った水平方向を、Ｙは高さ方向を示している。
チルト駆動用の磁石５５，５６は、レンズホルダ３１が回転して角度が変わってもレンズホルダ３１側面に当たらないように縦に細い形状でレンズホルダ３１に対向する面が円筒形状にされており、図５（ａ）に示すように、各磁極は上下に２分割されてＮ極とＳ極とが形成されている。
【００３１】
また、チルト駆動用の第２コイル４３，４４は、レンズホルダ３１の回転角度が変わったときでも、磁石と近接する部分が生じるように横長の形状にされ、磁石５５，５６の磁極の分割線を跨ぐように対向配置されることで、第２コイル４３，４４の電流量に応じて上下方向の駆動力が付与されるようになっている。そして、２個のチルト駆動用の第２コイル４３，４４のうち、一方の側と他方の側とで逆向きの駆動力が与えられることで、レンズホルダ３１の傾き角の微調整が可能になっている。
【００３２】
図６には、２つの対物レンズ２４，２５の一方と他方をそれぞれ使用する場合の各状態を表わした平面図を示す。
上記構成のレンズアクチュエータ３０によれば、第１〜第３コイル４１〜４５に電流が流されていない初期状態においては、図６（ａ）に示すように、ＤＶＤ用の対物レンズ２４が立上げミラー２１上方の光路上に位置された状態となる。そして、この状態で第１コイル４１，４２に微小な駆動電流が流されることで、レンズホルダ３１が回転方向に僅かに変位して対物レンズ２４のトラッキング調整が行われることとなる。また、第２コイル４３，４４や第３コイル４５に微小な駆動電流が流されることで、レンズホルダ３１が光ディスクの円周方向に沿って僅かに傾いてチルト角の調整を行ったり、レンズホルダ３１がフォーカス方向に微少量変位してフォーカス調整を行うことが出来る。
【００３３】
また、第１コイル４１，４２に一定の駆動電流を流してレンズホルダ３１にやや大きな駆動力を与えることで、図６（ｂ）に示すように、第１コイル４１，４２がもう一方の回転駆動用の磁石５２，５３にそれぞれ対向する位置までレンズホルダ３１が回転する一方、このタイミングでワイヤ３３…の撓りに対抗する駆動力が付与されるように第１コイル４１，４２にバイアス電流を流すことで、ＢＤ用の対物レンズ２５が立上げミラー２１上方の光路上に配置される状態となる。
【００３４】
そして、この状態で、第１コイル４１，４２の駆動電流を変位させることで、レンズホルダ３１が回転方向に僅かに変位して対物レンズ２５のトラッキング調整を行うことができ、また、第２コイル４３，４４や第３コイル４５に駆動電流を流すことで、対物レンズ２５のフォーカス調整やチルト角調整を行うことが出来る。
【００３５】
図７は、レンズホルダ３１の初期位置を変更した変形例を示すもの図である。
なお、図７（ａ）に示すように、第１〜第３コイル４１〜４５に電流が流されていない初期状態において、立上げミラー２１上方の光路が２つの対物レンズ２４，２５の中間位置に来るような設定としても良い。
【００３６】
このように設定した場合には、第１コイル４１，４２に右回転方向のバイアス電流を流した状態で各系統のコイル４１〜４５の電流を制御することで、図７（ｂ）に示すように、ＢＤ用の対物レンズ２５を光路上に配置してトラッキング調整とフォーカス調整とチルト角調整とを行うことが出来る。
【００３７】
また、図７（ｃ）に示すように、第１コイル４１，４２に左回転方向のバイアス電流を流した状態で各系統のコイル４１〜４５の電流を制御することで、ＣＤ〜ＨＤ−ＤＶＤ用の対物レンズ２４を光路上に配置してトラッキング調整とフォーカス調整とチルト角調整とを行うことが出来る。
【００３８】
以上のように、この実施形態の光ピックアップ装置１０によれば、１つの光路に２つの対物レンズ２４，２５を切り替えて使用することが出来るとともに、このような対物レンズ２４，２５の切り替えをワイヤ３３…支持型のレンズアクチュエータ３０で実現することが出来る。
【００３９】
それにより、レンズアクチュエータ３０として変位レベルの小さな範囲から大きな範囲まで良好な動作特性が得られるとともに、レンズホルダ３１の下に複数の光路を形成する光学構成が不要となり、部品コストの削減、ピックアップ全体のコンパクト化、レーザ光の損失の低減を図ることが出来る。
【００４０】
また、上述のようなワイヤ３３…の張り方やレンズホルダ３１の形状、並びに、対物レンズ２４，２５の配置によって、レーザ光を通過させるのに不都合なくレンズホルダ３１のスムーズな運動が得られ、また、回転駆動用の磁石５１〜５４やコイル４１，４２の配置、並びに、チルト角駆動用の磁石５５，５６やコイル４３，４４の配置により、互いに干渉の少ない独立したトラッキング調整とチルト角調整とを行うことが出来る。
【００４１】
なお、本発明は、上記実施の形態に限られるものではなく、様々な変更が可能である。例えば、フォーカス駆動用の磁石と電磁コイルの配置や構成は、図２（ｂ）に示したものに限られず、例えば、チルト角駆動用のコイル４３，４４と磁石５５，５６のみでフォーカス駆動とチルト角駆動を実現することも出来るし、レンズホルダ３１を高さ方向に長く形成する一方、回転駆動用の磁石５１〜５４とコイル４１，４２の下側或いは上側に、フォーカス駆動用の磁石と偏平コイルを設け、これによりフォーカス駆動を行うようにしても良いなど、種々の変形が可能である。
【００４２】
また、上記実施の形態では、対物レンズ２４，２５をＢＤ用のものとＣＤ、ＤＶＤ用の２個としたが、対物レンズ２４，２５の種類は限定されないし、また、３個の対物レンズ２４，２５をレンズホルダ３１に同様に並んで設けることで、３個の対物レンズ２４，２５の切り替えを可能なように構成することも出来る。
【００４３】
また、図6の例では、初期状態でＤＶＤ用の対物レンズ２４が光路上に配置される構成を示したが、逆に初期状態でＢＤ用の対物レンズ２５が光路上に配置される構成としても良い。
【００４４】
また、回転駆動用の磁石として、各対物レンズが光路上に配置されたときにそれぞれ回転駆動用のコイルと対向するように複数組の磁石を設けたが、横方向に長い１組の磁石としても良い。また、回転駆動用のコイルをレンズホルダの両端側面にそれぞれ複数組ずつ設けるようにしても良い。
【００４５】
その他、光ピックアップのレーザ出力器から立上げミラー或いは光センサまでの光学構成など、実施の形態で具体的に示した細部等は、発明の趣旨を逸脱しない範囲で適宜変更可能である。
【図面の簡単な説明】
【００４６】
【図１】本発明の実施の形態の光ピックアップの全体構成を示す図である。
【図２】図１のレンズアクチュエータを示す斜視図である。
【図３】レンズアクチュエータの詳細を示すもので、（ａ）はその平面図、（ｂ）は側断面図である。
【図４】回転駆動用の磁石と電子コイルとの配置関係を説明する分解図である。
【図５】チルト駆動用の磁石と電子コイルとの配置関係を説明する分解図である。
【図６】２つの対物レンズのそれぞれを使用する場合の状態を示した平面図である。
【図７】レンズホルダの初期位置を変更した変形例を示す平面図である。
【図８】軸摺動タイプとバネ支持タイプの動作特性を示すグラフである。
【符号の説明】
【００４７】
１０    光ピックアップ装置
２１    立上げミラー
２４    第１対物レンズ
２５    第２対物レンズ
３０    レンズアクチュエータ
３１    レンズホルダ
３３    ワイヤ
３５    フレーム板
４１，４２  回転駆動用の第１コイル
４３，４４  チルト角駆動用の第２コイル
４５    フォーカス駆動用の第３コイル
５１〜５４  回転駆動用の磁石
５５，５６  チルト角駆動用の磁石
５７    フォーカス駆動用の磁石
【図１】
2008102999.tif 000003
【図２】
2008102999.tif 000004
【図３】
2008102999.tif 000005
【図４】
2008102999.tif 000006
【図５】
2008102999.tif 000007
【図６】
2008102999.tif 000008
【図７】
2008102999.tif 000009
【図８】
2008102999.tif 000010